(57)【要約】【課題】通路のコーナ部や柱付近に設置でき、消火作業時の非難通路を確保して迅速に放水態勢をとることのできる消火栓装置を提供する。【解決手段】前面に扉１を有し、横幅が奥行きより小さい狭幅の消火栓ボックス２と、消火用水を放水するノズル部３および消火栓７に基端を接続するホース部４からなる消火ホース５と、閉扉時にはノズル部３を扉側に向けて巻回されたホース部４を保持し、開扉時にはノズル部３を引き出すことによりホース部４が前方に転がり出るように、消火ホース５を消火栓ボックス２内で支持するホース支持具６とを備える。【選択図】　図１
2004049775.tif 000002
【特許請求の範囲】
【請求項１】
前面に扉を有し、横幅が奥行きより小さい狭幅の消火栓ボックスと、消火用水を放水するノズル部および消火栓に基端を接続するホース部からなる消火ホースと、閉扉時にはノズル部を扉側に向けて巻回されたホース部を保持し、開扉時にはノズル部を引き出すことにより巻回されたホース部が前方に転がり出るように、消火ホースを消火栓ボックス内で支持するホース支持具とを備えたことを特徴とする消火栓装置。
【請求項２】
ホース支持具は、前後に傾斜する断面Ｖ字状または断面Ｕ字状に形成された板状部材であり、そのＶ字部またはＵ字部に、巻回されたホース部が保持される請求項１記載の消火栓装置。
【請求項３】
扉内面には、ノズル部を直立状態で支持するノズル支持具が設けられる請求項１または２に記載の消火栓装置。
【発明の詳細な説明】
【０００１】
【発明の属する技術分野】
本発明は、初期消火作業を行う消火ホースを格納する消火栓装置、特にビル等の建物の通路に設置される消火栓装置に関するものである。
【０００２】
【従来の技術】
この種の消火栓装置は、ビル等の建物の通路の非常口や非常階段に近い場所、例えば通路のコーナ部の壁面に突出あるいは埋設して設置されることが多い。そして消火栓装置は常設物であるので、通路側に余り張り出さないように、消火栓ボックスの形状を、横幅が奥行きより大きい広幅の矩形状に形成し、その広幅の前面が開放可能になるように扉を設けている。
【０００３】
この消火栓ボックス内に、消火用水を放水するノズル部および消火栓に基端が接続されたホース部からなる消火ホースが、開扉時にノズル部を引き出して消火作業を行えるような形で格納されている。格納方式としては、消火栓ボックス内のホース掛けに消火ホースを折り曲げながら掛吊する櫛歯方式や、消火栓ボックス内に設けた支持軸によって回転リールを回転自在に支持し、その回転リールによって、巻回された消火ホースの巻取りや繰出しを行う回転リール方式がある。
【０００４】
【発明が解決しようとする課題】
ところで上記従来の消火栓装置は、消火栓ボックスの広幅の前面を開放できるという条件の下で考えられている。上記櫛場方式では、消火ホースを消火ボックスの幅方向に沿って掛吊しているため、それを取外すのに広幅の前面を開放することが必要であるし、上記回転リール方式でも、回転リールを回転させながら消火ホースを繰り出す作業を行うのにやはり広幅の前面を開放する必要がある。
【０００５】
しかしながら、消火栓装置の設置場所は上述したように、非常口や非常階段に近い通路のコーナ部が多いため、図６（ａ）に示すように、消火作業時に大きく開いた消火栓ボックスａの扉ｂが、非常階段ｄに至る非難通路ｃの邪魔になるというおそれが生じる。
【０００６】
また、消火栓装置は重要な常設物であるものの、普段は通路スペースをなるだけ占有しない方が望ましいため、コーナ部にありがちな柱の影等のデッドスペースへの設置を要望するユーザーも多い。しかし図６（ｂ）に示すように、従来の消火栓装置を前記デッドスペースに仮に２箇所配置してみて分かるように、消火栓ボックスａの広幅の前面側に柱ｅが位置するので、扉ｂを開く動作自体が困難であり、設置不可能である。
【０００７】
さらに上記従来の消火栓装置は、開扉状態で、掛吊された消火ホースを取外したり、回転リールを回転させたりして消火ホースを繰り出すまでの放水態勢をとるのに手間がかかり、初期消火作業が遅れてしまうという問題もある。
【０００８】
そこで本発明は、通路のコーナ部や柱付近に設置でき、消火作業時の非難通路を確保して迅速に放水態勢をとることのできる消火栓装置を提供することを目的とする。
【０００９】
【課題を解決するための手段】
本発明は上記目的を達成するため、前面に扉を有し、横幅が奥行きより小さい狭幅の消火栓ボックスと、消火用水を放水するノズル部および消火栓に基端を接続するホース部からなる消火ホースと、閉扉時にはノズル部を扉側に向けて巻回されたホース部を保持し、開扉時にはノズル部を引き出すことにより巻回されたホース部が前方に転がり出るように、消火ホースを消火栓ボックス内で支持するホース支持具とを備えたことを特徴とするものである。
【００１０】
本発明によれば、扉を開いた後、扉側にあるノズル部を引き出すと、巻回されてホース支持具に保持されていたホース部が前方に転がり出て床面に投げ出されることによって、消火ホースが放水可能な状態になるので、迅速に放水態勢をとり初期消火作業を行うことができる。また、従来の消火栓ボックスにおける狭幅の側面が本発明のものでは前面となるので、通路のコーナ部の壁面に設置した場合でも、消火作業時に開放した扉が非難通路の邪魔になることがない。また、従来の消火栓ボックスにおける広幅の前面が本発明のものでは側面となり、その側面は開扉動作とは無関係であるので、柱付近、例えばコーナ部における柱と壁面とのデッドスペースを利用したり、壁面より突出した柱がある場合に柱の突出量に消火栓ボックスの奥行きを合わせ、柱と一体化してまとまり良くコンパクトに設置することが可能になる。
【００１１】
上記発明において、ホース支持具を、前後に傾斜する断面Ｖ字状または断面Ｕ字状に形成された板状部材とし、そのＶ字部またはＵ字部に、巻回されたホース部が保持されるようにすれば、消火ホースは、閉扉時には前の傾斜面で前方への移動を阻止され、開扉時にノズル部を引き出したときの引っ張り力で巻回されたホース部が前記傾斜面の先端を乗り越えて前方に転がり出る。また、Ｖ字部またはＵ字部で保持されるホース部は消火栓ボックスの底面に接触することなく浮いた状態で格納されているので、消火用水によってホース部が濡れて劣化するのを防止することができる。尚、消火栓ボックスは狭幅であるので格納時のホース部が幅方向に傾いても問題はなく、複雑な支持機構や支持部材を用いない簡単な構成のホース支持具でも、上記のような状態で適正に消火ホースを支持できる。
【００１２】
上記各発明において、扉内面に、ノズル部を直立状態で支持するノズル支持具を設けると、ノズル部を扉側に向けた状態で消火ホースを消火栓ボックス内に確実に支持できると共に、扉を開いてすぐにノズル部の支持を解除して引き出すことができるので、より迅速に放水態勢をとることができる。
【００１３】
【発明の実施の形態】
以下、本発明の消火栓装置を図１〜図５に示す実施形態に基づき、具体的に説明する。
【００１４】
本実施形態の消火栓装置は、前面に扉１を有し、横幅が奥行きより小さい狭幅の消火栓ボックス２と、消火用水を放水するノズル部３および消火栓７に基端を接続するホース部４からなる消火ホース５と、閉扉時にはノズル部３を扉１側に向けて巻回されたホース部４を保持し、開扉時にはノズル部３を引き出すことにより前記ホース部４が前方に転がり出るように、消火ホース５を消火栓ボックス２内に支持するホース支持具６とを備えている。
【００１５】
消火ホース５はホース部４の先端にノズル部３を取付ける接続金具４ａを有し、基端に消火栓７に接続される接続金具４ｂを有し、その中央部で２つ折りに折返して扁平に折畳む通称「しのだ巻き」と呼ばれる巻き方で、前記中央部を中心にして渦巻き状に巻回されている。
【００１６】
尚、本実施形態では１対のジョイント８を用いて折り返し部を接続しているが、一連の長尺な消火ホースを用いてもよい。また、上述したように、開扉時にホース部４が前方に転がり出るように支持されている限り、非保形性のホースに限定されないが、「しのだ巻き」にした非保形性のホースを用いることにより、長尺なホースであっても巻回径が小さくコンパクトに格納できると共に、消火作業時のホースの伸長距離を半分にすることができるので好適である。さらに「しのだ巻き」であれば、消火ホース５の巻回を消火栓装置の設置現場とは別な場所で行い、そして巻回された束を消火栓ボックス２内に格納することができるので、従来方式のように設置現場で消火ホース５を掛吊したり巻回する等して消火栓ボックス２内へ格納する手間や時間が要らなくなる。
【００１７】
消火栓７は給水源からの消火用水を供給する給水管９に接続され、ハンドル７ａの回転操作により消火栓弁を開閉することにより、消火用水の給水とその停止を行う。
【００１８】
ホース支持具６は、前後に傾斜する断面Ｖ字状（または断面Ｕ字状）の板状部材を消火栓ボックス２内の底面に取付けることで構成されている。消火ホース５は、ホース部４が前の傾斜面６ａで前方への移動を阻止され、かつ自重によってホース支持具６のＶ字部（またはＵ字部）６ｃに保持されている。このようにして消火ホース５は、消火栓ボックス２の下部に格納されており、開扉時にノズル部３を引き出すときの引っ張り力で、前記傾斜面６ａの先端をホース部４が乗り越えて前方に転がり出る。また、Ｖ字部６ｃで保持されるホース部４は、消火栓ボックス２の底面に接触することなく浮いた状態で格納されているので、消火用水によって濡れて劣化するのを防止することができる。尚、図示はしないが、後ろの傾斜面６ｂに貫通孔を多数設けることによって通気性を良くすると、ホース部４の劣化をさらに防止することができ好適である。
【００１９】
ホース支持具６の形状は、図示するものに限定されず、例えば、Ｖ字部６ｃの底辺が枢支され、ノズル部３を引き出したときに枢支部を中心に全体が前倒れするように構成しても良い。要は、ホース部４が開扉時に前方に転がり出るまでは消火栓ボックス２内で定位置に格納されていれば良い。また、本実施形態の消火栓ボックス２は幅が小さいので格納時のホース部４が幅方向に傾いても問題はないので、複雑な支持機構や支持部材が要らず、図示するような板状の簡単な構成のホース支持具６でも充分に消火ホース５を支持することができるので好適である。
【００２０】
扉１の内面には図２に示すように、消火ホース５のノズル部３を直立状態で支持するノズル支持具１０が設けられている。このノズル支持具１０は、扉１の内面からボックス奥に突出する取付具１０ａと、この取付具１０ａに取付けられて直立状態のノズル部３を弾性挟持する断面円弧状の支持環１０ｂとからなる。この支持環１０ｂが扉１の内面にあることで、扉１を開いてすぐにノズル部３の支持を解除して引き出すことができるので、迅速に放水態勢をとって初期消火活動を行うことができる。
【００２１】
本実施形態の消火栓装置は、上下２段に分けられた消火栓ボックス２の下段部に消火ホース５を格納しており、扉１は上下２段の前面を覆うように形成されたコンパクト設計である。扉１の外面中央には図１に示すように、扉１を開閉するための引抜把手１３が設けられ、その上方には警報スイッチ１１と表示灯１２が設けられ、上段部内には警報スイッチ１１の操作に基づいて図示しないスピーカから警報を発する図示しない警報装置が内装されている。
【００２２】
本実施形態の消火栓装置は上記のように構成され、消火作業の際には、扉１を開いた後に図２に示すように、ノズル部３をノズル支持具１０の支持環１０ｂから外して引き出すことによって、巻回されたホース部４がホース支持具６の傾斜面６ａの先端を乗り越え、矢印および仮想線に示すように前方に転がり出る。すると図示はしないが、巻回されているホース部４の束は倒れて床面に投げ出されて、放水可能な状態になり、櫛歯方式のようにいちいちホース掛けからホースを取外したり、回転リール方式のようにリール操作してホースを繰り出す手間なく消火ホース５を伸長して迅速に放水態勢をとることができる。
【００２３】
上記放水態勢をとるのと並行して消火栓７のハンドル７ａを操作し、消火栓弁を開いて消火ホース５内に給水管９から消火用水を供給することによって、ホース部４を経てノズル部３から放水し、迅速に初期消火作業を行うことができる。
【００２４】
また本実施形態の扉１は狭幅の前面を開放するものであるので、図３（ａ）に示すように、非常階段１７に至る通路１４のコーナ部の壁面１６に消火栓装置を設置した場合でも、消火作業時に消火栓ボックス２の扉１を開いて消火ホース５（仮想線）をとり出したときに、開いた扉１が非難通路の邪魔になることはない。また図３（ｂ）に示すように、コーナ部における消火栓装置の設置場所の前方に柱１５がある場合でも、従来の消火栓ボックスにおける広幅の前面が本実施形態のものでは側面２ａとなり、その側面２ａの前方に柱１５があっても開扉動作とは無関係であるので、柱１５と壁面１６とのデッドスペースＳを利用して消火栓装置を設置することが可能になる。
【００２５】
また図４に示すように、壁面１６より通路１４に突出（突出量Ｐ＝４００ｍｍ）した柱１５がある場合には、その突出量Ｐに消火栓ボックス２の奥行きを合わせ、柱１５の前面と消火栓装置の前面を面一にし、柱１５に一体化してまとまり良くコンパクトに消火栓装置を設置することもできる。尚、柱１５の影には従来の広幅の消火栓装置を設置することはできるが、柱１５が邪魔になり消火ホース５の取出し等が不便になるので実用的ではない。
【００２６】
本発明は上記実施形態に示すほか種々の態様に構成することができ、例えば、図５に示すように、消火栓ボックス２の広幅の側面に、その下段部を開放できる補助扉１８を設けることもできる。この補助扉１８は、消火ホース５の組付け時に利用することができ、また設置後であっても、図４に示したように消火栓ボックス２の側方にスペースがある場合には、消火ホース５の補修時にも利用することができる。また、上記実施形態の消火栓装置では、通路の壁面より突出して設置する場合で示したが、壁面構造によっては通路の壁面に埋設して設置することも可能である。
【００２７】
【発明の効果】
本発明によれば、扉を開いてノズル部を引き出すことによって、巻回されてホース支持具に保持されていたホース部が転げ出て消火ホースが放水可能な状態になり、迅速に放水態勢をとり初期消火作業が行えると共に、扉が狭幅の前面を開放するものであるので、消火栓装置を通路の壁面に設置した場合、開いた扉が非難通路の邪魔にならず、コーナ部における柱と壁面とのデッドスペースや通路側に突出した柱の影等を利用して設置することも可能になる。
【図面の簡単な説明】
【図１】本発明の実施形態における消火栓装置の要部を破断して示す斜視図。
【図２】同実施形態における消火栓装置の要部を破断して示す側面図。
【図３】同実施形態における消火栓装置の設置状態を示し、（ａ）は消火栓装置を通路のコーナ部に設置した場合を示す概略図、（ｂ）は消火栓装置をコーナ部の柱付近に設置した場合を示す概略図。
【図４】同実施形態における消火栓装置を、通路に突出した柱の影に設置した状態を示す概略図。
【図５】本発明の他の実施形態の消火栓装置の外観を示す斜視図。
【図６】従来例における消火栓装置の開扉状態を示し、（ａ）は消火栓装置を通路のコーナ部に設置した場合を示す概略図、（ｂ）はコーナ部の柱付近に仮に配置してみた場合を示す概略図。
【符号の説明】
１　扉
２　消火栓ボックス
３　ノズル部
４　ホース部
５　消火ホース
６　ホース支持具
６ｃ　Ｖ字部
７　消火栓
１０　ノズル支持具
【図１】
2004049775.tif 000003
【図２】
2004049775.tif 000004
【図３】
2004049775.tif 000005
【図４】
2004049775.tif 000006
【図５】
2004049775.tif 000007
【図６】
2004049775.tif 000008